(57)【特許請求の範囲】
【請求項１】
猫の爪を研磨するための研磨面と猫の爪を研削するための複数の研削部とが研磨・研削器の表面に形成されてなり、前記研磨面が、複数のライナーと複数の波形形状を有する中芯とが交互に隣接して積層されてなる積層段ボールの中芯の波形形状が存在している、ライナーと中芯との積層面であり、前記研削部に、上面の平面形状が線状であり、積層段ボールと接する少なくとも一方の側面に研削面を有する研削部材が当該積層段ボールと隣接して設けられ、当該研削部材の上面が研磨・研削器の表面に露出しており、当該研削部材が積層段ボールのライナーの面に対して交差する方向に設けられ、当該研削部材と当該研削部材に隣接しているライナーおよび中芯との間で空隙が存在していることを特徴とする猫の爪の研磨・研削器。
【請求項２】
積層段ボールの表面に凹部または貫通孔が形成され、当該凹部または貫通孔内に研削部材が配設されているか、または複数の積層段ボールが用いられ、積層段ボールと積層段ボールとの間に研削部材が配設されている請求項１に記載の猫の爪の研磨・研削器。
【発明の詳細な説明】
【技術分野】
【０００１】
本発明は、猫の爪の研磨・研削器に関する。さらに詳しくは、本発明は、猫の爪の研磨と爪の研削とを同時に行なうことができる猫の爪の研磨・研削器に関する。
【背景技術】
【０００２】
猫は、古くなった爪の外層を取り除くために爪を磨く習性を有しており、このように猫が爪を磨くことは、一般に猫の爪研ぎ、猫の爪の研磨などと称されている。猫の爪研ぎは、猫の習性であるため、一般家庭内で猫を飼育しているとき、猫が部屋内の壁面、柱、家具などに爪を立てて爪を研ぎ、当該壁面などが猫によって傷つけられることがある。
【０００３】
猫が部屋内の壁面、柱、家具などに爪を立てて爪を研ぐことを防止するために、近年、爪を研ぐための猫の爪研ぎ器として、例えば、複数枚の段ボール紙を積層接着して形成された積層段ボールの積層断面または波状の折曲部を爪研ぎの研磨部とし、当該研磨部が外側に露出するようにして前記積層段ボールが着脱自在にケースに収納されているとともに、当該ケース内に紙片収納部を備えている猫の爪研ぎ器が提案されている（例えば、特許文献１の請求項１参照）。
【０００４】
しかし、前記猫の爪研ぎ器を用いた場合、猫の爪を研ぐことができたとしても、猫の鋭い爪先を研削することができないため、猫が部屋内の壁面、柱、家具などに爪を立てて爪研ぎをして当該壁面などに傷をつける行為を完全には抑制することができない。
【０００５】
したがって、前記猫の爪研ぎ器を使用するにしても猫の爪研ぎとは別に猫の爪を切ることが必要であるが、猫は、習性的に爪を切られることを嫌がるため、無理に猫の爪を切ろうとすると猫に引掻かれたり、噛みつかれたりして怪我をすることがある。
【０００６】
そこで、近年、猫の爪を研磨することによって減少させることができる爪研ぎ器として、爪磨き素材積層段ボールまたは麻生地の裏側に研磨材を塗布した素材を木製板または積層段ボールなどの芯台の間に挟んで固着させて爪の研磨をすることができる機能を有する研磨材付き猫の爪研ぎ器が提案されている（例えば、特許文献２の請求項１参照）。
【０００７】
しかし、前記研磨材付き猫の爪研ぎ器は、特許文献２の図１および図２に示されているように、表面から順に積層段ボールまたは麻生地４、研磨材２、木製板または積層段ボール１、研磨材３、および積層段ボールまたは麻生地５が設けられていることから、猫が表面層である積層段ボールまたは麻生地４を引掻いて破らなければ爪研ぎ器に内蔵されている研磨材２が外部に露出しないため、常態の使用では爪を研削することができず、また猫が表面層である積層段ボールまたは麻生地４を引掻いて破ることによって研磨材２が外部に露出したとしても、ざらざらしている研磨材２の付着面で前足の肉球（掌球）および爪先が擦れるため、猫は、当該爪研ぎ器を本能的に忌避し、使用しなくなる。
【先行技術文献】
【特許文献】
【０００８】
【特許文献１】特開２００３−３３３９５１号公報
【特許文献２】実用新案登録第３１１２４４３号公報
【発明の概要】
【発明が解決しようとする課題】
【０００９】
本発明は、前記従来技術に鑑みてなされたものであり、猫が爪を研磨するとともに爪先を効率よく研削することができる猫の爪の研磨・研削器を提供することを課題とする。
【課題を解決するための手段】
【００１０】
本発明は、
（１）  猫の爪を研磨するための研磨面と猫の爪を研削するための複数の研削部とが研磨・研削器の表面に形成されてなり、前記研磨面が、複数のライナーと複数の波形形状を有する中芯とが交互に隣接して積層されてなる積層段ボールの中芯の波形形状が存在している、ライナーと中芯との積層面であり、前記研削部に、上面の平面形状が線状であり、積層段ボールと接する少なくとも一方の側面に研削面を有する研削部材が当該積層段ボールと隣接して設けられ、当該研削部材の上面が研磨・研削器の表面に露出しており、当該研削部材が積層段ボールのライナーの面に対して交差する方向に設けられ、当該研削部材と当該研削部材に隣接しているライナーおよび中芯との間で空隙が存在していることを特徴とする猫の爪の研磨・研削器、および
（２）  積層段ボールの表面に凹部または貫通孔が形成され、当該凹部または貫通孔内に研削部材が配設されているか、または複数の積層段ボールが用いられ、積層段ボールと積層段ボールとの間に研削部材が配設されている前記（１）に記載の猫の爪の研磨・研削器
に関する。
【発明の効果】
【００１１】
本発明の猫の爪の研磨・研削器によれば、猫が爪を研磨するとともに爪先を効率よく研削することができるという優れた効果が奏される。
【図面の簡単な説明】
【００１２】
【図１】本発明の猫の爪の研磨・研削器の一実施態様を示す概略平面図である。
【図２】図１に示される本発明の猫の爪の研磨・研削器の円Ｘで囲まれている部分の概略拡大図である。
【図３】本発明の猫の爪の研磨・研削器において、積層段ボールの凹部または貫通孔に研削部材が挿入されているときの研磨・研削器の縦断面における概略説明図である。
【図４】本発明の猫の爪の研磨・研削器において、積層段ボールと積層段ボールとの間に研削部材が配設され、研磨・研削器の上面および下面の両面に研削部が形成されている研磨・研削器の縦断面における概略説明図である。
【図５】本発明の猫の爪の研磨・研削器を猫に用いる前後における猫の前足の爪先の状態を示す概略説明図である。
【図６】本発明の実施例１において、猫の爪の研磨・研削器を猫に使用した後の当該研磨・研削器の表面状態を示す図面代用写真である。
【図７】本発明の実施例１において、本発明の猫の爪の研磨・研削器を使用した後の猫の爪先を示す図面代用写真である。
【発明を実施するための形態】
【００１３】
本発明の猫の爪の研磨・研削器は、猫の爪の研磨および研削を同時に行なうことができるという画期的な猫の爪の研磨・研削器である。本発明の猫の爪の研磨・研削器は、その表面に猫の爪を研磨するための研磨面および猫の爪を研削するための研削部を有する。なお、本発明の猫の爪の研磨・研削器の表面は、猫が爪を研磨し、研削する面を意味する。また、猫の爪の研磨・研削は、猫の爪の研磨および研削を意味する。
【００１４】
本発明の猫の爪の研磨・研削器は、研磨面が、複数のライナーと複数の波形形状を有する中芯とが交互に隣接して積層されている積層段ボールの中芯の波形形状が存在している、ライナーと中芯との積層面であり、研削部に、上面の平面形状が線状であり、積層段ボールと接する少なくとも一方の側面に研削面を有する研削部材が当該積層段ボールと隣接して設けられ、当該研削部材の上面が研磨・研削器の表面に露出している点に特徴の１つがある。
【００１５】
本発明の猫の爪の研磨・研削器は、積層段ボールの中芯の波形形状が存在している面を猫が爪で引掻くという猫の習性を利用したものであり、当該研磨・研削器の研磨面は、複数のライナーと複数の波形形状を有する中芯とが交互に隣接して積層されている積層段ボールの中芯の波形形状が存在している、ライナーと中芯との積層面であり、前記研削部に、上面の平面形状が線状であり、積層段ボールと接する少なくとも一方の側面に研削面を有する研削部材が当該積層段ボールと隣接して設けられ、当該研削部材の上面が研磨・研削器の表面に露出していることから、猫が本発明の研磨・研削器の表面を引掻いたときに猫の爪を研磨することができるとともに、猫の爪先を研削することができる。
【００１６】
したがって、本発明の猫の爪の研磨・研削器を猫に用いることにより、猫が自ら爪を研磨するとともに爪先を研削するので、従来のようにヒトが爪切りで猫の爪を切るという煩雑でかつ猫が嫌がる作業が不要となることから、本発明の猫の爪の研磨・研削器は、猫を飼育している飼い主にとって非常に有用なものである。
【００１７】
以下に本発明の猫の爪の研磨・研削器を図面に基づいて説明するが、本発明は、当該図面に記載の実施態様のみに限定されるものではなく、本発明の範囲内で当該図面に記載の実施態様以外の実施態様を有していてもよい。
【００１８】
図１は、本発明の猫の爪の研磨・研削器１の一実施態様を示す概略平面図である。図２は、図１に示される本発明の猫の爪の研磨・研削器１の円Ｘで囲まれている部分の概略拡大図である。
【００１９】
本発明の猫の爪の研磨・研削器（以下、単に「研磨・研削器」ともいう）１の表面には、図１に示されるように、猫の爪を研磨するための研磨面２と猫の爪を研削するための研削部３とが形成されている。研磨面２および研削部３は、研磨・研削器１の表面のみに形成されていてもよく、その裏面にも形成されていてもよい。
【００２０】
研磨面２および研削部３が研磨・研削器１の表面のみに形成されている場合、その裏面に猫の爪を研磨するための研磨面２が形成されていてもよく、研磨面２および研削部３がいずれも形成されていない面であってもよい。研磨・研削器１の表面に研磨面２および研削部３が形成されており、その裏面に研磨面２が形成されている場合、猫の爪を研磨・研削する際には研磨面２および研削部３が形成されている表面で猫の爪を研磨・研削し、猫の爪を研磨・研削する必要がないときには研磨・研削器１を裏返しにし、研磨・研削器１の裏面の研磨面２で猫の爪を研磨することができる。
【００２１】
また、猫の爪の研磨・研削器１の表面および裏面の双方に研磨面２および研削部３が形成されている場合、表面が猫の爪によって傷んだときに表面と裏面とをひっくり返すことにより、研磨・研削器１の裏面を有効に利用することができるので、研磨・研削器１の長寿命化を図ることができる。
【００２２】
研磨面２は、図２に示されるように、複数のライナー４と複数の波形形状を有する中芯５とが交互に隣接して積層している積層段ボール６によって形成される。したがって、例えば、３層の中芯５を有する積層段ボールでは、ライナー４、中芯５、ライナー４、中芯５、ライナー４、中芯５およびライナー４の順序でライナー４と中芯５とが積層される。ライナー４と中芯５との接触部分は、一般に使用されている段ボールと同様に接着剤によって接着されている。ライナー４は、通常、平面形状を有するが、本発明の目的を阻害しない範囲内で、湾曲していてもよく、波型形状などの形状を有していてもよい。中芯５は、波型形状を有する。中芯５の波型形状としては、例えば、ＪＩＳ  Ｚ１５１６（２００３）に規定の段ボールに使用される中芯が有する波型形状などが挙げられるが、本発明は、かかる例示のみに限定されるものではない。
【００２３】
積層段ボール６には、例えば、ＪＩＳ  Ｚ１５１６（２００３）に規定されている段ボールを用いることができる。段ボールの種類には、主として両面段ボールおよび複両面段ボールがあるが、本発明では、いずれも用いることができる。段ボールの段の種類としては、例えば、ＪＩＳ  Ｚ１５１６（２００３）に規定されているＡ段（記号：ＡＦ）、Ｂ段（記号：ＢＦ）、Ｃ段（記号：ＣＦ）などがあるが、本発明は、かかる例示のみに限定されるものではない。積層段ボール６におけるライナー４および中芯５の数は、研磨・研削器１の形状およびその大きさなどによって異なるので一概には決定することができないことから、研磨・研削器１の形状およびその大きさなどに応じて適宜決定することが好ましい。
【００２４】
研磨面２は、中芯５の波形形状が存在し、ライナー４と中芯５とが積層している積層面である。研磨面２には、ライナー４と中芯５との間で中芯５の波形形状に基づく空隙が存在している。猫が爪を立てて研磨・研削器１の表面を引掻いたとき、爪が当該空隙部分を形成しているライナー４および中芯５に引っかかり、爪がライナー４および中芯５と擦れることから爪が磨かれる。
【００２５】
猫の爪の研磨・研削器１の表面の研削部３には、猫の爪を効率よく研磨・研削する観点から、上面の平面形状が線状であり、積層段ボール６と接する少なくとも一方の側面に研削面を有する研削部材７が積層段ボール６と隣接して設けられ、研削部材７の上面が研磨・研削器１の表面に露出している。
【００２６】
研削部３には、後述する図３および図４に示されるように、研削面を有する研削部材７が設けられている。研削部材７の研削面は、研磨材が付着している面を意味するが、研磨材を使用しないで研磨可能な凹凸を有する面であってもよい。
【００２７】
研削部材７としては、例えば、ＪＩＳ  Ｒ６０１０に規定されている研磨材が基材に付着している研削面を有する研削部材などが挙げられる。研削部材７としては、例えば、基材として紙が使用されているＪＩＳ  Ｒ６２５２に規定の研磨紙（紙やすり）、基材として布が使用されているＪＩＳ  Ｒ６２５１に規定の研磨布（布やすり）、ＪＩＳ  Ｒ６２５３に規定の耐水研磨紙（耐水ペーパー）、木板、塩化ビニル樹脂、アクリル樹脂、ポリプロピレンなどの樹脂板、アクリルフォーム、ポリウレタンフォームなどの発泡樹脂（スポンジ）板、クロロプレンゴム、スチレン−ブタジエンゴムなどのゴム板、金属板などの基材の表面に研磨材を付着させた板状の研削部材などが挙げられるが、本発明は、かかる例示のみに限定されるものではない。これらのなかでは、耐久性および軽量化の観点から研磨布および耐水研磨紙が好ましい。研削部材７として、例えば、研磨紙、研磨布、耐水研磨紙などの研削部材を用いる場合、研磨材の付着面が外部に露出するように２つ折りにしたものを用いてもよく、当該２つ折りにした研削部材の内面に両面粘着テープを挟んで内面同士を貼り合わせたもの、当該２つ折りにした研削部材の内面に樹脂板、厚紙などの補強材を挟んだものを用いてもよい。研削部材７は、猫の爪を効率よく研磨・研削する観点から、板状（プレート状）の形状を有することが好ましい。
【００２８】
研削部材７の表面に付着している研磨材のＪＩＳ  Ｒ６０１０に規定の粗さは、特に限定されないが、猫の爪を効率よく研磨・研削するとともに猫に不快感を与えないようにする観点から、６０〜１０００番程度であることが好ましく、８０〜６００番程度であることがより好ましく、１００〜２４０番程度であることがさらに好ましい。
【００２９】
研削部材７は、猫の爪が研削部材７に引っ掛かることによって猫の爪を効率よく研磨・研削する観点から、積層段ボール６と接する少なくとも一方の側面（積層段ボール６との隣接面）に研削面（図示せず）を有する。研削部材７は、さらに上面に研削面を有していてもよく、両側面に研削面を有していてもよい。これらの研削部材７の実施態様のなかでは、研磨・研削器１の前後を逆にしたときでも猫の爪を効率よく研磨・研削する観点から、研削部材７の両側面に研磨材が付着していることが好ましく、猫の爪をさらに効率よく研磨・研削する観点から、研削部材７の上面および両側面に研磨材が付着していることがより好ましい。
【００３０】
なお、研削部材７と積層段ボール６とは、両者を押圧することにより、猫が爪を立てて研磨・研削器１の表面を引掻いたときに両者が動かないように固定してもよく、両者を強固に固定するために接着剤で一体化してもよい。研削部材７と積層段ボール６とを接着剤で一体化させる場合、猫の爪を効率よく研削部材７で研磨・研削する観点から、研削部材７の猫の爪が接触する部分に接着剤が付着しないようにすることが好ましい。
【００３１】
研削部３の平面形状は、猫に不快感を与えずに猫の爪を効率よく研磨・研削する観点から線状である。線状には、例えば、直線状、曲線状、波線状などが挙げられるが、本発明は、かかる線状の形態によって限定されるものではない。研削部３の平面形状のなかでは、研磨・研削器１の製造が容易であり、猫の爪を効率よく研磨・研削する観点から直線状であることが好ましい。線状の研削部３の線幅は、研削部材７の種類にもよるが、猫が引掻いたときの研削部材７の機械的強度を維持し、猫の爪を効率よく研磨・研削するとともに猫に不快感を与えないようにする観点から、０．５〜５ｍｍであることが好ましく、０．５〜３ｍｍであることがより好ましく、０．８〜１．５ｍｍであることがさらに好ましい。研削部３の長さは、研磨・研削器１の形状およびその大きさなどによって異なるので一概には決定することができないことから、研磨・研削器１の形状およびその大きさなどに応じて適宜決定することが好ましい。
【００３２】
研削部３は、図１に示されるように、研磨・研削器１の全幅にわたって形成されていてもよく、研磨・研削器１の中央部分に形成されていてもよく、所々に点在して形成されていてもよく、本発明は、研磨・研削器１における研削部３の配置によって限定されるものではないが、猫の爪を効率よく研磨・研削する観点から、猫の爪の研磨・研削器１の全幅またはその近傍まで研削部３が形成されていることが好ましい。
【００３３】
隣接している研削部３同士の間隔Ｌは、猫の爪を効率よく研磨・研削するとともに猫に不快感を与えないようにする観点から、１０〜１００ｍｍ程度であることが好ましく、２０〜５０ｍｍ程度であることがより好ましい。猫の爪の研磨・研削器１に設けられる研削部３の数は、猫の爪の研磨・研削器１の形状およびその大きさなどによって異なるので一概には決定することができないことから、猫の爪の研磨・研削器１の形状およびその大きさなどに応じて適宜決定することが好ましい。研削部３の数は、猫の爪を効率よく研磨・研削する観点から、好ましくは５以上、より好ましくは１０以上であり、その上限値は、研磨・研削器１の大きさなどによって異なるので一概には決定することができないが、通常、好ましくは１００以下、より好ましくは５０以下、さらに好ましくは３０以下である。
【００３４】
研削部材７は、研削部３で研磨・研削器１の表面に露出するように設けられる。研削部材７は、例えば、図３に示されるように積層段ボール６の表面に凹部（図示せず）を設けるか、または図４に示されるように貫通孔（図示せず）を設け、当該凹部または貫通孔内に配設してもよく、複数の積層段ボール６を用い、積層段ボール６と積層段ボール６との間に研削部材７を配設してもよい。これらの研削部材７が配設される実施態様のなかでは、積層段ボール６の機械的強度を高める観点から、積層段ボール６の表面に凹部または貫通孔を設け、当該凹部または貫通孔内に研削部材７を挿入することが好ましい。また、研磨・研削器１の生産効率を高める観点から、積層段ボール６と積層段ボール６との間に研削部材７を設けることが好ましい。猫の爪を効率よく研磨・研削する観点から、研削部材７として板状（プレート状）の研削部材を用い、例えば、図３および図４に示されるように、研磨・研削器１の平面に対して垂直方向となるように研削部材７を研磨・研削器１に配置することが好ましい。
【００３５】
研削部３は、例えば、積層段ボール６の凹部または貫通孔の内面、または研削部材７に接着剤を付着させた後、研削部材７を当該凹部または貫通孔に挿入することにより、積層段ボール６と接着させてもよく、複数の積層段ボール６を用い、積層段ボール６と研削部材７との界面に接着剤を塗布し、積層段ボール６と研削部材７とを接着させてもよい。
【００３６】
なお、図３は、積層段ボール６の凹部または貫通孔に研削部材７が挿入されているときの研磨・研削器１の縦断面における概略説明図であり、図４は、積層段ボール６と積層段ボール６との間に研削部材７が配設され、研磨・研削器１の上面および下面の両面に研削部３が形成されている研磨・研削器１の縦断面における概略説明図である。
【００３７】
図３において、（ａ）は研磨・研削器１の上面から研削部材７が突出しているときの猫の爪の研磨・研削器１の縦断面における概略説明図、（ｂ）は研磨・研削器１の表面よりも内部に研削部材７が設けられているときの猫の爪の研磨・研削器１の概略縦断面図、（ｃ）は研磨・研削器１の表面と同一平面となるように研削部材７が設けられているときの研磨・研削器１の縦断面における概略説明図である。
【００３８】
本発明においては、研削部材７は、図３（ａ）に示されるように研磨・研削器１の上面から突出していてもよく、図３（ｂ）に示されるように研磨・研削器１の表面よりも内部に研削部材７が設けられていてもよく、図３（ｃ）に示されるように研磨・研削器１の表面と同一平面となるように形成されていてもよい。これらの研磨・研削器１の実施態様のなかでは、猫の爪を効率よく研磨・研削するとともに猫に不快感を与えないようにする観点から、図３（ｂ）および（ｃ）に示されるように、研削部材７が研磨・研削器１の表面と同一平面となるように形成されているかまたは研磨・研削器１の表面よりも内部に設けられていることが好ましい。なお、図３に示される研磨・研削器１では、ライナー４および中芯（図示せず）によって研磨面２が形成されており、研削部材７によって研削部３が形成されている。
【００３９】
図３（ａ）に示される研磨・研削器１の実施態様において、研磨・研削器１の上面から突出している研削部材７の高さは、猫の爪を効率よく研磨・研削するとともに猫に不快感を与えないようにする観点から、０〜１ｍｍ程度であることが好ましく、０〜０．５ｍｍ程度であることがより好ましい。また、図（ｂ）に示される研磨・研削器１の実施態様において、研磨・研削器１の表面から研削部材７が存在している位置までの深さは、猫の爪を効率よく研磨・研削するとともに猫に不快感を与えないようにする観点から、０〜３ｍｍ程度であることが好ましく、０〜１ｍｍ程度であることがより好ましい。
【００４０】
図４に示される研磨・研削器１では、積層段ボール６と積層段ボール６との間に研削部材７が配設されている。図４に示される研磨・研削器１では、研削部材７が研磨・研削器１の表面と同一平面上に存在しているが、研削部材７は、上面および／または下面から突出していてもよく、研磨・研削器１の表面よりも内部に設けられていてもよい。これらの研磨・研削器１の実施態様のなかでは、猫の爪を効率よく研磨・研削するとともに猫に不快感を与えないようにする観点から、研削部材７は、研磨・研削器１の表面と同一平面となるように形成されているかまたは研磨・研削器１の表面よりも内部に設けられていることが好ましい。なお、図４に示される研磨・研削器１では、ライナー４および中芯５によって研磨面２が形成されており、研削部材７によって研削部３が形成されている。
【００４１】
図４に示される研磨・研削器１の実施態様において、研磨・研削器１の表面から突出している研削部材７の高さは、猫の爪を効率よく研磨・研削するとともに猫に不快感を与えないようにする観点から、０〜１ｍｍ程度であることが好ましく、０〜０．５ｍｍ程度であることがより好ましい。また、研磨・研削器１の表面から研削部材７が存在している位置までの深さは、猫の爪を効率よく研磨・研削するとともに猫に不快感を与えないようにする観点から、０〜３ｍｍ程度であることが好ましく、０〜１ｍｍ程度であることがより好ましい。
【００４２】
猫が好んで研磨・研削器１の研磨面２および研削部３を爪で引掻く方向に個性差がある。猫の爪の研磨・研削器１の研削部３の研削面は、猫の爪を効率よく研磨・研削する観点から、猫が好んで研磨・研削器１の研磨面２および研削部３を爪で引掻く方向に対して交差する方向に配置することが好ましい。
【００４３】
また、研磨・研削器１の積層段ボール６のライナー４に関しても、猫が好んで研磨・研削器１の研磨面２および研削部３を爪で引掻く方向に個性差があることから、猫の爪を効率よく研磨・研削する観点から、猫が爪で引掻く方向に対して平行となる方向に設けられていることが好ましい。猫が爪で引掻く方向に対して平行となる方向は、猫が爪で引掻く方向と平行となる方向および猫が爪で引掻く方向に対してやや斜めの方向（猫が爪で引掻く方向に対して鋭角をなす方向）を意味する。
【００４４】
以上のようにして本発明の猫の爪の研磨・研削器１が構成される。本発明の猫の爪の研磨・研削器１の大きさおよび形状には特に限定がなく、研磨・研削器１の大きさおよび形状は、用途などに応じて適宜調整することができる。
【００４５】
本発明の猫の爪の研磨・研削器１の大きさの一例として、縦が２０〜８０ｃｍであり、横幅が１０〜３０ｃｍである直方体などが挙げられる。猫の爪の研磨・研削器１が直方体を有する場合、研磨・研削器１の厚さは、特に限定されないが、研磨・研削器１の使用性および機械的強度を考慮して、例えば、１〜１０ｃｍ程度であることが好ましい。
【００４６】
本発明の猫の爪の研磨・研削器１の平面形状は、例えば、図１に示されるように長方形であってもよく、円形、楕円形、三角形、他の多角形、不定形などの形状であってもよい。また、本発明の猫の爪の研磨・研削器１の立体形状は、特に限定されず、例えば、標準的な直方体状であってもよく、立方体状であってもよく、断面形状がアルファベットのＳ字状、Ｕ字状等の形状である立体形状であってもよく、円柱状、球状などの形状であってもよい。また、本発明の猫の爪の研磨・研削器１は、猫用のベッドを用意し、そのソファ面に配設することができるようにしてもよい。
【００４７】
本発明の猫の爪の研磨・研削器１は、例えば、図１に示されるように、型枠８内に固定して使用することができる。型枠８は、猫の爪の研磨・研削器１を固定し、補強するために用いることができる。また、図１に示される型枠８以外にも、猫の爪の研磨・研削器１が存在する箇所に研磨・研削器１を外部に露出させるための露出窓が設けられ、側面に研磨・研削器１を挿入または離脱させるための開口部を有する筒状の型枠であってもよい。型枠８は、例えば、段ボールで作製することができるほか、ポリプロピレン、スチロール樹脂、ＡＢＳ樹脂などの樹脂製の型枠であってもよく、木製の型枠であってもよい。
【００４８】
図１に示されるように、本発明の猫の爪の研磨・研削器１を型枠８内に固定して使用する場合、使用済みの研磨・研削器１を型枠８から取り外し、新たな研磨・研削器１と交換して型枠８に組み込むことができるので、型枠８を再利用することができる。
【００４９】
また、本発明の猫の爪の研磨・研削器１を複数のブロックに分割して作製しておき、傷んだ研磨・研削器１のブロックを新しい研磨・研削器１のブロックと交換することができるようにしてもよい。
【００５０】
また、本発明の猫の爪の研磨・研削器１には、起立状態で使用することができるようにするために、研磨・研削器１の底部に転倒防止用スタンドが取り付けられていてもよく、柱、壁などに取り付けて使用することができるようにするために、フックなどの取付け具が設けられていてもよく、研磨・研削器１の裏面に両面粘着テープが貼付されていてもよい。
【００５１】
以上説明したように、本発明の猫の爪の研磨・研削器１は、猫が積層段ボール６の表面を爪で引掻くという猫の習性を利用したものであり、研磨面２が、複数のライナー４と複数の波形形状を有する中芯５とが交互に隣接して積層されている積層段ボール６の中芯５の波形形状が存在している、ライナー４と中芯５との積層面２であり、研削部３に、上面の平面形状が線状であり、積層段ボール６と接する少なくとも一方の側面に研削面を有する研削部材７が積層段ボール６と隣接して設けられ、研削部材７の上面が研磨・研削器１の表面に露出していることから、猫が本能的に研磨・研削器１の表面を引掻いたときに爪を研磨すると同時に爪先を研削するので、従来のようにヒトが爪切りで猫の爪を切るという煩雑でかつ猫が嫌がる作業が不要となる。
【００５２】
したがって、本発明の猫の爪の研磨・研削器１は、猫を飼育している猫の飼い主、猫の愛好家などにとって非常に有用なものとして使用することが期待される。
【実施例】
【００５３】
次に、本発明を実施例に基づいてさらに詳細に説明するが、本発明はかかる実施例のみに限定されるものではない。
【００５４】
実施例１
図１に示される実施態様の猫の爪の研磨・研削器を作製した。より具体的には、段ボールとしてＢ段（記号：ＢＦ）を用意し、縦の長さが５０ｃｍであり、横の長さが１２ｃｍであり、高さが３ｃｍである直方体状の猫の爪の研磨・研削器を作製した。また、研削部材として耐水ペーパー（１００番）の研削面が外部に位置するように２つ折りに折り曲げ、折り曲げた内面同士を両面粘着テープ〔（株）ニトムズ製、品番：Ｔ４０１０〕で貼付した研削部材（縦：１０．８ｃｍ、横：２．８ｃｍ、厚さ：約２ｍｍ）を用いた。研磨・研削器の表面には、長手方向に対して直角方向に２．５ｃｍの等間隔で幅が１１ｃｍ、深さが３ｃｍの切り込み（凹部）１８本を入れ、研磨・研削器の上面から研削部材が突出しないようにして各切り込みにそれぞれ研削部材を挿入することにより、研削部を形成させた。
【００５５】
前記で得られた猫の爪の研磨・研削器を型枠内に入れた後、その表面（研磨面および研削部が存在する面）を上向きにして床の上に置き、前記猫の爪の研磨・研削器を飼い猫に５日間自由に使用させた。その結果、猫の前足の爪先は、研磨・研削器の使用前では図５（ａ）に示されるように尖っていたのに対し、研磨・研削器の使用後には図５（ｂ）に示されるように爪の先端部分が研削されていることが確認された。なお、図５は、本発明の猫の爪の研磨・研削器を猫に用いる前後における猫の前足の爪先の状態を示す概略説明図であり、図５中の符号９は、猫の前足の爪を示す。
【００５６】
また、猫に５日間自由に使用させた後の猫の爪の研磨・研削器の表面の図面代用写真を図６に、猫の前足の爪を研磨・研削した後の爪の図面代用写真を図７に示す。図６に示されるように、研磨・研削器１の表面には猫の爪による引掻き傷が見受けられた。また、猫の前足の爪先は、図６の丸印で囲まれている部分に示されているように、前記研磨・研削器を使用することにより、効率よく研削されていることがわかる。
【００５７】
実施例２
実施例１において、研削部材として、耐水ペーパー（８０番）の研削面が外部に位置するように２つ折りに折り曲げ、折り曲げた内面に厚さが０．１５ｍｍであるポリプロピレン製シートを挟んで接着させた研削部材（縦：１０．８ｃｍ、横：２．８ｃｍ、厚さ：約０．５ｍｍ）を用いたこと以外は、実施例１と同様にして猫の爪の研磨・研削器を作製した。
【００５８】
前記で得られた研磨・研削器を型枠内に入れた後、実施例１と同様にしてその表面（研磨面および研削部が存在する面）を上向きにして床の上に置き、前記猫の爪の研磨・研削器を飼い猫に５日間自由に使用させた。その結果、猫の前足の爪は、実施例１と同様に、研磨・研削器の使用前では図５（ａ）に示されるように尖っていたのに対し、研磨・研削器の使用後には図５（ｂ）に示されるように爪の先端部分が研削されていることが確認された。このことから、猫の前足の爪先は、当該研磨・研削器を使用することにより、効率よく研削されていることがわかる。
【００５９】
以上の結果から、本発明の猫の爪の研磨・研削器を猫に用いることにより、猫の爪を研磨することができるとともに、爪切りなどを使用しなくても猫の爪先を効率よく研削することができるいう優れた効果が奏されることがわかる。
【符号の説明】
【００６０】
１    猫の爪の研磨・研削器
２    研磨面
３    研削部
４    ライナー
５    中芯
６    積層段ボール
７    研削部材
８    型枠
９    猫の前足の爪
【要約】
【課題】猫が爪を研磨するとともに爪先を効率よく研削することができる猫の爪の研磨・研削器を提供する。
【解決手段】猫の爪を研磨するための研磨面と猫の爪を研削するための複数の研削部３とが研磨・研削器１の表面に形成されてなり、研磨面３が、複数のライナー４と複数の波形形状を有する中芯５とが交互に隣接して積層されてなる積層段ボール６の中芯５の波形形状が存在している、ライナー４と中芯５との積層面であり、研削部３に、上面の平面形状が線状であり、積層段ボール６と接する少なくとも一方の側面に研削面を有する研削部材７が積層段ボール６と隣接して設けられ、研削部材７の上面が研磨・研削器１の表面に露出していることを特徴とする。
【選択図】図１【図１】
0006892175.tif 000002
【図２】
0006892175.tif 000003
【図３】
0006892175.tif 000004
【図４】
0006892175.tif 000005
【図５】
0006892175.tif 000006
【図６】
0006892175.tif 000007
【図７】
0006892175.tif 000008